(57)【要約】【課題】複数の撮像断面が傾いて設定される場合でも、各撮像断面の位相エンコード方向を揃えることができる磁気共鳴イメージング装置を提供すること。【解決手段】第１の設定部と、第２の設定部とを備える。第１の設定部は、撮像対象となる被検体の対象部位について撮像断面を設定する。第２の設定部は、前記第１の設定部によって設定された撮像断面について、空間的な傾きを維持した状態で、基準となる方向に基づいて当該撮像断面の位相エンコード方向を設定する。【選択図】図１
2015058220.tif 000002
【特許請求の範囲】
【請求項１】
撮像対象となる被検体の対象部位について撮像断面を設定する第１の設定部と、
前記第１の設定部によって設定された撮像断面について、空間的な傾きを維持した状態で、基準となる方向に基づいて当該撮像断面の位相エンコード方向を設定する第２の設定部と
を備えたことを特徴とする磁気共鳴イメージング装置。
【請求項２】
前記第２の設定部は、前記撮像断面を設定する際に用いられる位置決め画像に平行な方向に基づいて、前記撮像断面の位相エンコード方向を設定することを特徴とする請求項１に記載の磁気共鳴イメージング装置。
【請求項３】
前記第２の設定部は、前記対象部位について先に設定されている他の撮像断面の位相エンコード方向に基づいて、前記第１の設定部によって新たに設定された撮像断面の位相エンコード方向を設定することを特徴とする請求項１に記載の磁気共鳴イメージング装置。
【請求項４】
前記第２の設定部は、前記被検体の前後方向、左右方向及び頭尾方向のいずれか一つに基づいて、前記撮像断面の位相エンコード方向を設定することを特徴とする請求項１に記載の磁気共鳴イメージング装置。
【請求項５】
前記第２の設定部は、前記第１の設定部によって前記撮像断面が設定された際に、当該撮像断面の位相エンコード方向を設定することを特徴とする請求項１〜４のいずれか一つに記載の磁気共鳴イメージング装置。
【請求項６】
前記被検体の画像に基づいて、前記対象部位の位置及び向きを示す位置情報を検出する検出部をさらに備え、
前記第１の設定部は、前記位置情報に基づいて前記撮像断面を設定することを特徴とする請求項５に記載の磁気共鳴イメージング装置。
【請求項７】
前記対象部位について撮像断面を追加する指示を受け付ける受付部をさらに備え、
前記第２の設定部は、前記指示が受け付けられた場合に、当該指示により追加された撮像断面について前記位相エンコード方向を設定することを特徴とする請求項５に記載の磁気共鳴イメージング装置。
【請求項８】
位相エンコード方向を一括して設定する指示を受け付ける受付部をさらに備え、
前記第２の設定部は、前記指示が受け付けられた場合に、設定済みの撮像断面について前記位相エンコード方向を設定することを特徴とする請求項１〜７のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
従来、磁気共鳴イメージング装置を用いた撮像では、撮像対象となる被検体の対象部位について、あらかじめ撮像断面が設定される。例えば、対象部位の種類や形状によっては、一つの撮像プロトコルで複数の撮像断面が設定される場合や、撮像断面が空間的に傾いて設定される場合もある。そして、撮像断面が設定される際には、撮像プロトコルに応じて良好な画質が得られるように、適切な位相エンコード方向が設定される。
【先行技術文献】
【特許文献】
【０００３】
【特許文献１】特開２０１１−１７２９１５号公報
【特許文献２】特開２０１２−０４５１９２号公報
【特許文献３】特開２００５−２３７９６８号公報
【発明の概要】
【発明が解決しようとする課題】
【０００４】
本発明が解決しようとする課題は、複数の撮像断面が傾いて設定される場合でも、各撮像断面の位相エンコード方向を揃えることができる磁気共鳴イメージング装置を提供することである。
【課題を解決するための手段】
【０００５】
実施形態に係る磁気共鳴イメージング（ＭＲＩ：Magnetic  Resonance  Imaging）装置は、第１の設定部と、第２の設定部とを備える。第１の設定部は、撮像対象となる被検体の対象部位について撮像断面を設定する。第２の設定部は、前記第１の設定部によって設定された撮像断面について、空間的な傾きを維持した状態で、基準となる方向に基づいて当該撮像断面の位相エンコード方向を設定する。
【図面の簡単な説明】
【０００６】
【図１】図１は、第１の実施形態に係るＭＲＩ装置の構成を示す図である。
【図２】図２は、複数の撮像断面のＰＥ方向を揃える機能の一例を示す図（１）である。
【図３】図３は、複数の撮像断面のＰＥ方向を揃える機能の一例を示す図（２）である。
【図４】図４は、複数の撮像断面のＰＥ方向を揃える機能の一例を示す図（３）である。
【図５】図５は、複数の撮像断面のＰＥ方向を揃える機能の一例を示す図（４）である。
【図６】図６は、第１の実施形態に係るＭＲＩ装置の詳細な構成を示す機能ブロック図である。
【図７】図７は、第１の実施形態に係る第１の設定部によって行われる第１の方法を示す図である。
【図８】図８は、第１の実施形態に係る第１の設定部によって行われる第２の方法を示す図である。
【図９】図９は、第１の実施形態に係る第１の設定部によって行われる第３の方法を示す図である。
【図１０】図１０は、第１の実施形態に係る第１の設定部によって行われる第４の方法を示す図である。
【図１１】図１１は、第１の実施形態に係る第１の設定部によって行われる第５の方法を示す図である。
【図１２】図１２は、第１の実施形態に係る表示制御部によって表示される撮像断面の一例を示す図（１）である。
【図１３】図１３は、第１の実施形態に係る表示制御部によって表示される撮像断面の一例を示す図（２）である。
【図１４】図１４は、第１の実施形態に係るＭＲＩ装置によって行われる撮像領域設定方法の処理手順を示すフローチャートである。
【図１５】図１５は、第２の実施形態に係るＭＲＩ装置によって行われる撮像領域設定方法の処理手順を示すフローチャートである。
【発明を実施するための形態】
【０００７】
以下に、図面を参照しながら、ＭＲＩ装置の実施形態を説明する。
【０００８】
（第１の実施形態）
図１は、第１の実施形態に係るＭＲＩ装置の構成を示す図である。図１に示すように、このＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０、及び計算機システム２０を備える。
【０００９】
静磁場磁石１は、中空の円筒形状に形成された磁石であり、内部の空間に一様な静磁場を発生する。この静磁場磁石１としては、例えば永久磁石、超伝導磁石等が使用される。
【００１０】
傾斜磁場コイル２は、中空の円筒形状に形成されたコイルであり、静磁場磁石１の内側に配置される。この傾斜磁場コイル２は、互いに直交するｘ，ｙ，ｚの各軸に対応する３つのコイルが組み合わされて形成されており、これら３つのコイルは、後述する傾斜磁場電源３から個別に電流供給を受けて、ｘ，ｙ，ｚの各軸に沿って磁場強度が変化する傾斜磁場を発生させる。なお、ｚ軸方向は、静磁場と同方向とする。傾斜磁場電源３は、傾斜磁場コイル２に電流を供給する。
【００１１】
ここで、傾斜磁場コイル２によって発生するｘ，ｙ，ｚの各軸の傾斜磁場は、例えば、スライス選択用傾斜磁場Ｇｓｓ、位相エンコード用傾斜磁場Ｇｐｅ及びリードアウト用傾斜磁場Ｇｒｏにそれぞれ対応する。スライス選択用傾斜磁場Ｇｓｓは、任意に撮像断面を決めるために利用される。位相エンコード用傾斜磁場Ｇｐｅは、空間的位置に応じて磁気共鳴信号の位相を変化させるために利用される。リードアウト用傾斜磁場Ｇｒｏは、空間的位置に応じて磁気共鳴信号の周波数を変化させるために利用される。
【００１２】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００１３】
送信ＲＦコイル６は、傾斜磁場コイル２の内側に配置され、送信部７から供給される高周波パルス電流によりＲＦ（Radio  Frequency）パルス（高周波磁場パルス）を発生する。送信部７は、ラーモア周波数に対応する高周波パルス電流を送信ＲＦコイル６に供給する。受信ＲＦコイル８は、傾斜磁場コイル２の内側に配置され、上記のＲＦパルスの影響によって被検体Ｐから放射される磁気共鳴信号を受信する。この受信ＲＦコイル８は、磁気共鳴信号を受信すると、その磁気共鳴信号を受信部９へ出力する。
【００１４】
受信部９は、受信ＲＦコイル８から出力される磁気共鳴信号に基づいて磁気共鳴（Magnetic  Resonance：ＭＲ）信号データを生成する。この受信部９は、受信ＲＦコイル８から出力される磁気共鳴信号をデジタル変換することによってＭＲ信号データを生成する。このＭＲ信号データには、前述したスライス選択用傾斜磁場Ｇｓｓ、位相エンコード用傾斜磁場Ｇｐｅ及びリードアウト用傾斜磁場Ｇｒｏによって、位相エンコード方向、リードアウト方向、スライスエンコード方向の空間周波数の情報が対応付けられてｋ空間に配置される。そして、ＭＲ信号データを生成すると、受信部９は、そのＭＲ信号データをシーケンス制御部１０へ送信する。
【００１５】
シーケンス制御部１０は、計算機システム２０から送信されるシーケンス実行データに基づいて、傾斜磁場電源３、送信部７及び受信部９を駆動することによって、被検体Ｐのスキャンを実行する。ここでいうシーケンス実行データとは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、被検体Ｐのスキャンを実行するための手順を示すパルスシーケンスを定義した情報である。なお、シーケンス制御部１０は、シーケンス実行データに基づいて傾斜磁場電源３、送信部７及び受信部９を駆動した後に、受信部９からＭＲ信号データが送信されると、そのＭＲ信号データを計算機システム２０へ転送する。
【００１６】
計算機システム２０は、ＭＲＩ装置１００の全体制御を行う。例えば、計算機システム２０は、ＭＲＩ装置１００が有する各部を駆動することで、被検体Ｐのスキャンや画像再構成などを行う。この計算機システム２０は、インタフェース部２１、画像再構成部２２、記憶部２３、入力部２４、表示部２５及び制御部２６を有する。
【００１７】
インタフェース部２１は、シーケンス制御部１０との間で授受される各種信号の入出力を制御する。例えば、このインタフェース部２１は、シーケンス制御部１０に対してシーケンス実行データを送信し、シーケンス制御部１０からＭＲ信号データを受信する。ＭＲ信号データを受信すると、インタフェース部２１は、各ＭＲ信号データを被検体Ｐごとに記憶部２３に格納する。
【００１８】
画像再構成部２２は、記憶部２３によって記憶されたＭＲ信号データに対して、後処理、すなわちフーリエ変換等の再構成処理を施すことによって、被検体Ｐ内における所望核スピンのスペクトラムデータ又は画像データを生成する。また、画像再構成部２２は、生成したスペクトラムデータ又は画像データを被検体Ｐごとに記憶部２３に格納する。
【００１９】
記憶部２３は、後述する制御部２６によって実行される処理に必要な各種データや各種プログラムなどを記憶する。例えば、記憶部２３は、インタフェース部２１によって受信されたＭＲ信号データや、画像再構成部２２によって生成されたスペクトラムデータや画像データなどを、被検体Ｐごとに記憶する。この記憶部２３は、例えば、ＲＡＭ（Random  Access  Memory）、ＲＯＭ（Read  Only  Memory）、フラッシュメモリ（flash  memory）などの半導体メモリ素子や、ハードディスク、光ディスクなどの記憶装置である。
【００２０】
入力部２４は、操作者から各種操作を受け付けることで、各種指示や各種情報の入力を受け付ける。この入力部２４としては、マウスやトラックボールなどのポインティングデバイス、モード切替スイッチ等の選択デバイス、あるいはキーボード等の入力デバイスを適宜に利用可能である。
【００２１】
表示部２５は、制御部２６による制御のもと、スペクトラムデータあるいは画像データ等の各種の情報を表示する。この表示部２５としては、液晶表示器などの表示デバイスを利用可能である。
【００２２】
制御部２６は、図示していないＣＰＵ（Central  Processing  Unit）やメモリ等を有し、ＭＲＩ装置１００の全体制御を行う。この制御部２６は、例えば、入力部２４を介して操作者から入力される撮像条件に基づいて各種のシーケンス実行データを生成し、生成したシーケンス実行データをシーケンス制御部１０に送信することによってスキャンを制御する。また、制御部２６は、スキャンの結果としてシーケンス制御部１０からＭＲ信号データが送られた場合に、そのＭＲ信号データに基づいて画像を再構成するよう画像再構成部２２を制御する。
【００２３】
以上、ＭＲＩ装置１００の構成について説明した。このような構成のもと、本実施形態に係るＭＲＩ装置１００は、撮像対象となる被検体の対象部位について撮像断面を設定する機能を有する。例えば、対象部位の種類や形状によっては、一つの撮像プロトコルで複数の撮像断面が設定される場合や、撮像断面が空間的に傾いて設定される場合もある。そして、撮像断面が設定される際には、撮像プロトコルに応じて良好な画質が得られるように、適切な位相エンコード（phase  encode：ＰＥ）方向が設定される。
【００２４】
ここで、対象部位について複数の撮像断面が設定される場合には、通常、各撮像断面のＰＥ方向は同じ方向に沿うように揃えて設定される。このため、ＭＲＩ装置には、複数の撮像断面についてＰＥ方向を揃える機能が備えられる場合もある。例えば、このような機能として、設定済みの複数の撮像断面について、全ての撮像断面を位置決め画像に直交させたうえで、各撮像断面のＰＥ方向を位置決め画像の奥行き方向に揃えて設定し、その後、各撮像断面のＰＥ方向を各撮像断面内で任意の方向に揃えて変更するものがある。
【００２５】
図２〜５は、複数の撮像断面のＰＥ方向を揃える機能の一例を示す図である。なお、図２及び４は、それぞれ被検体のサジタル像を示しており、図３及び５は、それぞれ被検体のコロナル像を示している。これらの画像はいずれも位置決め画像として用いられており、各画像上に表示された立方体形状又は矩形状のグラフィックは、それぞれ撮像断面を示している。また、各撮像断面の上面に沿って配置された矢印のグラフィックは、それぞれ各撮像断面のＰＥ方向を示している。
【００２６】
例えば、図２及び３に示すように、被検体のサジタル像及びコロナル像を位置決め画像として、各画像上で斜めに傾くように撮像断面が設定されていたとする。このような場合に、上述した機能では、例えば、図４に示すように、サジタル像を用いてＰＥ方向を揃えてしまうと、サジタル像に直交するように撮像断面が設定されることになる。この結果、図５に示すように、コロナル像上では撮像断面の傾きが無くなってしまうことになる。
【００２７】
これに対し、本実施形態に係るＭＲＩ装置１００は、設定された撮像断面について、空間的な傾きを維持した状態で、基準となる方向に基づいて当該撮像断面のＰＥ方向を設定する。したがって、本実施形態によれば、複数の撮像断面が傾いて設定される場合でも、各撮像断面のＰＥ方向を揃えることができる。以下、このようなＭＲＩ装置１００について詳細に説明する。なお、以下では、撮像の対象部位が椎間板である場合を例に挙げて説明する。
【００２８】
図６は、第１の実施形態に係るＭＲＩ装置１００の詳細な構成を示す機能ブロック図である。なお、図６では、図１に示した計算機システム２０が有する各部のうち、インタフェース部２１、記憶部２３、入力部２４、表示部２５、及び制御部２６を示している。
【００２９】
図６に示すように、記憶部２３は、画像記憶部２３ａと、位置情報記憶部２３ｂと、撮像条件記憶部２３ｃと、被検体情報記憶部２３ｄとを有する。
【００３０】
画像記憶部２３ａは、画像再構成部２２によって生成された画像データを記憶する。例えば、画像記憶部２３ａは、被検体の背骨が描出された位置決め用サジタル像を記憶する。ここでいう位置決め用サジタル像は、被検体の椎間板及び脊柱管を含むサジタル断面に平行であり、かつ、少なくとも椎間板を含んだサジタル像である。この位置決め用サジタル像は、例えば、ＦＥ（Field  Echo）系のシーケンスなど、椎間板を椎体と比較して高い信号値で撮像可能なシーケンスによって撮像される。
【００３１】
位置情報記憶部２３ｂは、撮像対象となる対象部位の位置及び向きを示す位置情報を記憶する。例えば、位置情報記憶部２３ｂは、画像記憶部２３ａによって記憶された位置決め用サジタル像から検出された椎間板の位置情報を記憶する。ここでいう位置情報は、椎間板の位置及び向きを示す情報であり、例えば、椎間板の向きを示す第１のベクトルと、第１のベクトルの起点位置を示す座標又は第２のベクトル（所定の基準位置を起点とするベクトル）などによって表される。
【００３２】
撮像条件記憶部２３ｃは、各種撮像法及び各種パルスシーケンスに関する撮像条件を撮像プロトコルごとに記憶する。ここでいう撮像条件には、繰り返し時間（ＴＲ：Repetition  Time）やエコー時間（ＴＥ：Echo  Time）、マトリクス数、撮像断面の長さ、幅及び厚さ、ＰＥ方向などの撮像パラメータが含まれる。また、撮像条件には、撮像法（スピンエコー法やＥＰＩ（Echo  Planar  Imaging）法などのパルスシーケンス種）や、脂肪抑制パルス、反転パルスなどのプリパルスの種類、数、順序、撮像領域の撮像順序なども含まれる。なお、椎間板を撮像する場合には、撮像条件には、撮像対象とする椎間板の数も含まれる。また、複数の撮像断面を各断面の厚さ方向に並べたスラブと呼ばれる（スライスグループとも呼ばれる）単位で撮像断面が設定される場合には、撮像条件には、１つのスラブに含める撮像断面の数も含まれる。
【００３３】
被検体情報記憶部２３ｄは、被検体に関する被検体情報を記憶する。ここでいう被検体情報は、例えば、被検体の識別情報、氏名、年齢、身長、体重などである。
【００３４】
また、制御部２６は、検出部２６ａと、受付部２６ｂと、第１の設定部２６ｃと、第２の設定部２６ｄと、表示制御部２６ｅと、撮像制御部２６ｆとを有する。
【００３５】
検出部２６ａは、被検体の画像に基づいて、対象部位の位置及び向きを示す位置情報を検出する。具体的には、検出部２６ａは、被検体の対象部位が描出された画像を解析して、当該対象部位の位置及び向きを示す位置情報を抽出する。また、検出部２６ａは、検出した位置情報を位置情報記憶部２３ｂに記憶させる。
【００３６】
例えば、検出部２６ａは、画像記憶部２３ａに記憶されている位置決め用サジタル像に基づいて、複数の椎間板それぞれについて位置情報を検出する。ここで、検出部２６ａが用いる椎間板の検出方法としては、各種の方法を用いることが可能である。例えば、検出部２６ａは、被検体の複数のサジタル像を用いた方法で位置情報を検出する。この方法では、検出部２６ａは、被検体の椎間板及び脊柱管を含むサジタル断面に平行であり、かつ、少なくとも椎間板を含む複数のサジタル像それぞれから背骨領域を抽出する。また、検出部２６ａは、抽出した複数の背骨領域それぞれから２次元の椎間板領域を抽出する。そして、検出部２６ａは、抽出した複数の２次元の椎間板領域に基づいて、複数のサジタル像にまたがる３次元の椎間板領域を抽出する。
【００３７】
受付部２６ｂは、入力部２４を介して、操作者から各種指示や各種情報の入力を受け付ける。具体的には、受付部２６ｂは、撮像対象である被検体の対象部位について撮像断面を追加する指示を受け付ける。また、受付部２６ｂは、設定済みの撮像断面の位置や傾きを変更する指示を受け付ける。
【００３８】
例えば、受付部２６ｂは、表示部２５に表示された位置決め用サジタル像に対して、当該位置決め用サジタル像に描出された背骨に含まれる複数の椎間板のうち、撮像断面が設定されていない椎間板に新たに撮像断面を設定する指示を受け付ける。また、受付部２６ｂは、表示部２５に表示された位置決め用サジタル像に対して、設定済みの撮像断面の位置や傾きを設定し直す指示を受け付ける。
【００３９】
第１の設定部２６ｃは、撮像対象となる被検体の対象部位について撮像断面を設定する。具体的には、第１の設定部２６ｃは、検出部２６ａによって検出された対象部位の位置情報に基づいて撮像断面を設定する。このとき、第１の設定部２６ｃは、対象部位の位置情報に基づいて、当該対象部位に関する撮像断面の空間的な傾きを設定する。さらに、第１の設定部２６ｃは、撮像条件記憶部２３ｃに記憶されている撮像条件に基づいて、撮像断面の長さや幅、厚さ、ＰＥ方向などを設定する。
【００４０】
例えば、第１の設定部２６ｃは、位置決め用サジタル像に含まれる椎間板について、検出部２６ａによって検出された椎間板の位置情報及び撮像条件記憶部２３ｃに記憶されている撮像条件に基づいて、椎間板ごとに撮像断面を設定する。具体的には、第１の設定部２６ｃは、まず、位置決め用サジタル像に含まれる複数の椎間板の中から、撮像条件で定められた撮像対象とする椎間板の数だけ椎間板を選択する。このとき、例えば、第１の設定部２６ｃは、複数の椎間板のうち上側（頭側）又は下側（足側）から順に椎間板を選択する。または、第１の設定部２６ｃは、複数の椎間板のうち中央付近から椎間板を選択してもよい。その後、第１の設定部２６ｃは、選択した椎間板について、撮像断面を設定する。このとき、例えば、第１の設定部２６ｃは、選択した椎間板を含むように、撮像条件で定められた数の撮像断面を含むスラブを設定する。
【００４１】
また、第１の設定部２６ｃは、受付部２６ｂによって受け付けられた指示に基づいて撮像断面を設定する。具体的には、第１の設定部２６ｃは、操作者からの指示に応じて、新たに撮像断面を追加したり、設定済みの撮像断面の位置や傾きを変更したりする。このとき、第１の設定部２６ｃは、操作者からの指示に基づいて、撮像断面の空間的な傾きを設定する。また、第１の設定部２６ｃは、撮像条件記憶部２３ｃに記憶されている撮像条件に基づいて、撮像断面の長さや幅、厚さ、ＰＥ方向などを設定する。
【００４２】
例えば、第１の設定部２６ｃは、位置決め用サジタル像に含まれる椎間板について、操作者からの指示に応じて、まだ撮像断面が設定されていない椎間板に新たに撮像断面を設定する。このとき、例えば、第１の設定部２６ｃは、撮像断面がまだ設定されていない椎間板を含むように、撮像条件で定められた数の撮像断面を含むスラブを設定する。
【００４３】
第２の設定部２６ｄは、第１の設定部２６ｃによって設定された撮像断面について、空間的な傾きを維持した状態で、基準となる方向に基づいて当該撮像断面のＰＥ方向を設定する。なお、ここでいう撮像断面の空間的な傾きとは、例えば、位置決め画像として用いられる被検体の直交３断面の画像（サジタル像、コロナル像、及びアキシャル像）における傾きである。この傾きは、例えば、直交３断面の画像のうち１つの画像上で傾いている場合にはシングルオブリークと呼ばれ、２つの画像上で傾いている場合にはダブルオブリークと呼ばれる。
【００４４】
具体的には、第２の設定部２６ｄは、第１の設定部２６ｃによって撮像断面が設定された際に、第１の設定部２６ｃによって設定されたＰＥ方向を変更することで、当該撮像断面のＰＥ方向を設定する。このとき、第２の設定部２６ｄは、第１の設定部２６ｃによって設定された撮像断面の向きを同一面内で変えることで、当該撮像断面のＰＥ方向を変更する。なお、第２の設定部２６ｄは、撮像断面のＰＥ方向を９０度又は２７０度ずらす場合には、リードアウト方向とＰＥ方向とを入れ替えてもよい。
【００４５】
より具体的には、例えば、第２の設定部２６ｄは、以下で説明する５つの方法のうち操作者によって選択された方法を用いて、撮像断面のＰＥ方向を設定する。なお、このとき、第２の設定部２６ｄによって用いられる方法は、例えば、操作者によって撮像条件の一部として入力される。
【００４６】
まず、第１の方法では、第２の設定部２６ｄは、撮像断面を設定する際に用いられる位置決め画像の断面に平行な方向に基づいて、撮像断面のＰＥ方向を設定する。具体的には、第１の方法では、第２の設定部２６ｄは、位置決め画像の断面に平行な方向及び位置決め画像の奥行き方向のうち操作者によって選択された方向に基づいて、撮像断面のＰＥ方向を設定する。
【００４７】
図７は、第１の実施形態に係る第１の設定部２６ｃによって行われる第１の方法を示す図である。図７は、第１の設定部２６ｃによって設定された撮像断面７１と、撮像断面７１の設定に用いられた位置決め画像７２とを示している。ここで、例えば、撮像断面７１に垂直なベクトルをＶ、当該撮像断面７１に設定されたＰＥ方向のベクトルをＰＥ０（図示は省略）とする。この場合に、第２の設定部２６ｄは、位置決め画像の断面に平行な方向にＰＥ方向を設定する場合には、Ｖを回転軸として、位置決め画像７２の断面と平行になるように撮像断面７１の断面内でＰＥ０を回転して、ベクトルＰＥ１を求める。また、位置決め画像の奥行き方向にＰＥ方向を設定する場合には、第２の設定部２６ｄは、位置決め画像７２の断面と平行になるようにＰＥ０を回転した後に、さらに、撮像断面７１の断面内でＰＥ０を９０度又は２７０度回転して、ベクトルＰＥ２を求める。ここで、奥行き方向に設定されたＰＥ方向は、必ずしも位置決め画像に直交する方向にはならない。そして、第２の設定部２６ｄは、求めたベクトルＰＥ１又はＰＥ２の方向を撮像断面７１のＰＥ方向として設定する。
【００４８】
なお、第２の設定部２６ｄは、位置決め画像の断面に平行な方向にＰＥ方向を設定する際に、ＰＥ方向を右側から左側に向かう方向とするか、左側から右側に向かう方向にするかについては、操作者からの指定に応じて決定する。また、第２の設定部２６ｄは、位置決め画像の奥行き方向にＰＥ方向を設定する際に、ＰＥ方向を手前側から奥側に向かう方向とするか、奥側から手前側に向かう方向とするかについても、操作者からの指定に応じて決定する。
【００４９】
また、第２の方法では、第２の設定部２６ｄは、対象部位について先に設定されている他の撮像断面のＰＥ方向に基づいて、第１の設定部２６ｃによって新たに設定された撮像断面のＰＥ方向を設定する。具体的には、第２の方法では、第２の設定部２６ｄは、対象部位について先に設定されている他の撮像断面のＰＥ方向と、新たに設定された撮像断面の面ベクトルとを含む平面と平行になるように、新たに設定された撮像断面のＰＥ方向を設定する。
【００５０】
図８は、第１の実施形態に係る第１の設定部２６ｃによって行われる第２の方法を示す図である。図８は、第１の設定部２６ｃによって新たに設定された撮像断面８１と、撮像断面８１が設定される前に設定されていた撮像断面８２とを示している。ここで、例えば、撮像断面８１に垂直なベクトルをＶ、当該撮像断面８１に設定されたＰＥ方向のベクトルをＰＥ０（図示は省略）、撮像断面８２に設定されたＰＥ方向のベクトルをＰＥとする。この場合に、第２の設定部２６ｄは、Ｖを回転軸として、ＶとＰＥとを含む面と平行になるように撮像断面８１の断面内でＰＥ０を回転して、ベクトルＰＥ１を求める。このとき、第２の設定部２６ｄは、先に設定されていた撮像断面８２のＰＥ方向の向きにベクトルＰＥ１の向きを合わせる。そして、第２の設定部２６ｄは、求めたベクトルＰＥ１の方向を撮像断面８１のＰＥ方向として設定する。
【００５１】
また、第３の方法では、第２の設定部２６ｄは、被検体の前後方向、左右方向及び頭尾方向のいずれか一つに基づいて、撮像断面のＰＥ方向を設定する。具体的には、第３の方法では、第２の設定部２６ｄは、被検体の前後（Ａ−Ｐ）方向、左右（Ｒ−Ｌ）方向及び頭尾（Ｈ−Ｆ）方向のうち操作者によって選択された方向に、撮像断面のＰＥ方向を設定する。
【００５２】
図９は、第１の実施形態に係る第１の設定部２６ｃによって行われる第３の方法を示す図である。図９は、第１の設定部２６ｃによって新たに設定された撮像断面９１を示している。ここで、例えば、撮像断面９１に垂直なベクトルをＶ、当該撮像断面９１に設定されたＰＥ方向のベクトルをＰＥ０（図示は省略）とする。また、基準となる方向として、操作者によってＡ−Ｐ方向が選択されたとする。この場合に、第２の設定部２６ｄは、Ｖを回転軸として、ＶとＡ−Ｐ方向のベクトルとを含む面と平行になるように撮像断面９１の断面内でＰＥ０を回転して、ベクトルＰＥ１を求める。そして、第２の設定部２６ｄは、求めたベクトルＰＥ１の方向を撮像断面９１のＰＥ方向として設定する。
【００５３】
また、第４の方法では、第２の設定部２６ｄは、第２の方法と同様に、対象部位について先に設定されている他の撮像断面のＰＥ方向に基づいて、第１の設定部２６ｃによって新たに設定された撮像断面のＰＥ方向を設定する。しかし、第４の方法では、第２の設定部２６ｄは、ベクトルの面内回転を用いずに、撮像断面のＰＥ方向を設定する。
【００５４】
図１０は、第１の実施形態に係る第１の設定部２６ｃによって行われる第４の方法を示す図である。図１０は、第１の設定部２６ｃによって新たに設定された撮像断面１０１と、撮像断面１０１が設定される前に設定されていた撮像断面１０２とを示している。ここで、例えば、撮像断面１０１の２つの辺に沿った２つのベクトルをＲ及びＣ、撮像断面１０１に設定されたＰＥ方向のベクトルをＰＥ０（図示は省略）、撮像断面１０２に設定されたＰＥ方向のベクトルをＰＥとする。この場合に、第２の設定部２６ｄは、ベクトルＲ及びＣのうちＰＥとのなす角が小さい方のベクトルの方向を、撮像断面１０１のＰＥ方向として設定する。図１０に示す例では、ベクトルＲとＰＥとのなす角がベクトルＣとＰＥとのなす角よりも小さいため、ベクトルＲの方向が撮像断面１０１のＰＥ方向として設定される。
【００５５】
また、第５の方法では、第２の設定部２６ｄは、第３の方法と同様に、被検体の前後方向、左右方向及び頭尾方向のいずれか一つに基づいて、第１の設定部２６ｃによって設定された撮像断面のＰＥ方向を設定する。しかし、第５の方法では、第２の設定部２６ｄは、ベクトルの面内回転を用いずに、撮像断面のＰＥ方向を設定する。
【００５６】
図１１は、第１の実施形態に係る第１の設定部２６ｃによって行われる第５の方法を示す図である。図１１は、第１の設定部２６ｃによって新たに設定された撮像断面１１１を示している。ここで、例えば、撮像断面１１１の２つの辺に沿った２つのベクトルをＲ及びＣ、撮像断面１１１に設定されたＰＥ方向のベクトルをＰＥ０（図示は省略）とする。また、基準となる方向として、操作者によってＡ−Ｐ方向が選択されたとする。この場合に、第２の設定部２６ｄは、ベクトルＲ及びＣのうち前後方向のベクトルとのなす角が小さい方のベクトルの方向を、撮像断面１１１のＰＥ方向として設定する。図１１に示す例では、ＲとＡ−Ｐ方向のベクトルとのなす角がＣとＡ−Ｐ方向のベクトルとのなす角よりも小さいため、ベクトルＲの方向が撮像断面１１１のＰＥ方向として設定される。
【００５７】
図６に戻って、表示制御部２６ｅは、第１の設定部２６ｃによって設定された撮像断面を示す情報を表示部２５に表示する。具体的には、表示制御部２６ｅは、表示部２５に位置決め画像を表示し、さらに、第１の設定部２６ｃによって設定された撮像断面を示す情報と、第２の設定部２６ｄによって設定されたＰＥ方向を示す情報とを位置決め画像上に表示する。
【００５８】
図１２及び１３は、第１の実施形態に係る表示制御部２６ｅによって表示される撮像断面の一例を示す図である。図１２は、位置決め画像として用いられた被検体のサジタル像を示しており、図１３は、位置決め画像として用いられた被検体のコロナル像を示している。例えば、図１２及び１３に示すように、表示制御部２６ｅは、撮像断面を示す立方体形状又は矩形状のグラフィックを位置決め画像上に表示する。また、表示制御部２６ｅは、撮像断面の上面に沿って、当該撮像断面のＰＥ方向を示す矢印のグラフィックを表示する。
【００５９】
本実施形態では、第１の設定部２６ｃによって撮像断面が設定された際に、第２の設定部２６ｄによって、各撮像断面の空間的な傾きが維持された状態で、基準となる方向に基づいて各撮像断面のＰＥ方向が設定される。そのため、例えば、図１２及び１３に示すように、複数の撮像断面が傾いて設定された場合でも、各撮像断面のＰＥ方向を示す矢印のグラフィックが、同じ位置決め画像上で同じ方向に向いて表示されることになる。
【００６０】
図６に戻って、撮像制御部２６ｆは、第１の設定部２６ｃによって設定された撮像断面のデータを収集するように、シーケンス制御部１０を制御する。具体的には、撮像制御部２６ｆは、第１の設定部２６ｃによって設定された各撮像断面について、第２の設定部２６ｄによって設定されたＰＥ方向でデータを収集するためのシーケンス実行データを生成する。そして、撮像制御部２６ｆは、生成したシーケンス実行データをシーケンス制御部１０に送信することで、データ収集を実行させる。
【００６１】
図１４は、第１の実施形態に係るＭＲＩ装置１００によって行われる撮像領域設定方法の処理手順を示すフローチャートである。図１４に示すように、本実施形態に係るＭＲＩ装置１００では、制御部２６が、操作者から撮像領域の設定を開始する指示を受け付けると（ステップＳ１０１，Ｙｅｓ）、以下の処理を開始する。
【００６２】
まず、検出部２６ａが、被検体の画像に基づいて、対象部位の位置及び向きを示す位置情報を検出する（ステップＳ１０２）。続いて、第１の設定部２６ｃが、検出部２６ａによって検出された位置情報に基づいて、撮像対象となる被検体の対象部位について撮像断面を設定する（ステップＳ１０３）。その後、第２の設定部２６ｄが、第１の設定部２６ｃによって設定された撮像断面について、空間的な傾きを維持した状態で、基準となる方向に基づいて当該撮像断面のＰＥ方向を設定する（ステップＳ１０４）。
【００６３】
そして、受付部２６ｂが、対象部位について撮像断面を追加する指示を受け付けた場合には（ステップＳ１０５，Ｙｅｓ）、第１の設定部２６ｃが、受付部２６ｂによって受け付けられた指示に基づいて撮像断面を設定する（ステップＳ１０６）。その後、第２の設定部２６ｄが、第１の設定部２６ｃによって設定された撮像断面について、空間的な傾きを維持した状態で、基準となる方向に基づいて当該撮像断面のＰＥ方向を設定する（ステップＳ１０７）。
【００６４】
ここで、制御部２６が、操作者から撮像領域の設定を終了する指示を受け付けるまでの間は（ステップＳ１０８，Ｎｏ）、上述したステップＳ１０５〜Ｓ１０７の処理が繰り返される。そして、制御部２６が、撮像領域の設定を終了する指示を受け付けた場合には（ステップＳ１０８，Ｙｅｓ）、撮像領域設定に関する処理を終了する。
【００６５】
上述したように、第１の実施形態によれば、撮像断面が設定される際に、当該撮像断面の空間的な傾きを維持した状態で、当該撮像断面のＰＥ方向が基準となる方向に基づいて設定される。したがって、本実施形態によれば、複数の撮像断面が傾いて設定される場合でも、各撮像断面のＰＥ方向を揃えることができる。
【００６６】
すなわち、本実施形態によれば、ダブルオブリークを失うことなく、複数の撮像断面についてＰＥ方向を揃えることができる。これにより、高い再現性で、良好な画質の画像を得ることができる。また、複数の撮像断面について、自動的に、又は、簡便な操作でＰＥ方向が揃えられるので、検査におけるスループットを向上させることができる。
【００６７】
（第２の実施形態）
次に、第２の実施形態について説明する。第２の実施形態では、検出に失敗した椎間板を補完する場合の例を説明する。なお、本実施形態に係るＭＲＩ装置の構成は、基本的には、図１及び６に示したものと同じであるが、受付部２６ｂ及び第２の設定部２６ｄによって行われる処理が異なる。そのため、以下では、本実施形態に係る受付部２６ｂ及び第２の設定部２６ｄによって行われる処理を中心に説明する。
【００６８】
本実施形態では、受付部２６ｂは、ＰＥ方向を一括して設定する指示を受け付ける。また、本実施形態では、第２の設定部２６ｄは、受付部２６ｂによって当該指示が受け付けられた場合に、設定済みの撮像断面についてＰＥ方向を設定する。
【００６９】
図１５は、第２の実施形態に係るＭＲＩ装置１００によって行われる撮像領域設定方法の処理手順を示すフローチャートである。図１５に示すように、本実施形態に係るＭＲＩ装置１００では、制御部２６が、操作者から撮像領域の設定を開始する指示を受け付けると（ステップＳ２０１，Ｙｅｓ）、以下の処理を開始する。
【００７０】
まず、検出部２６ａが、被検体の画像に基づいて、対象部位の位置及び向きを示す位置情報を検出する（ステップＳ２０２）。続いて、第１の設定部２６ｃが、検出部２６ａによって検出された位置情報に基づいて、撮像対象となる被検体の対象部位について撮像断面を設定する（ステップＳ２０３）。
【００７１】
そして、受付部２６ｂが、対象部位について撮像断面を追加する指示を受け付けた場合には（ステップＳ２０４，Ｙｅｓ）、第１の設定部２６ｃが、受付部２６ｂによって受け付けられた指示に基づいて撮像断面を設定する（ステップＳ２０５）。
【００７２】
また、受付部２６ｂが、ＰＥ方向を一括して設定する指示を受け付けた場合には（ステップＳ２０６，Ｙｅｓ）、第２の設定部２６ｄが、設定済みの各撮像断面について、空間的な傾きを維持した状態で、基準となる方向に基づいて撮像断面のＰＥ方向を設定する（ステップＳ２０７）。
【００７３】
ここで、制御部２６が、操作者から撮像領域の設定を終了する指示を受け付けるまでの間は（ステップＳ２０８，Ｎｏ）、上述したステップＳ２０４〜Ｓ２０７の処理が繰り返される。そして、制御部２６が、撮像領域の設定を終了する指示を受け付けた場合には（ステップＳ２０８，Ｙｅｓ）、撮像領域設定に関する処理を終了する。
【００７４】
上述したように、第２の実施形態によれば、複数の撮像断面が続けて設定された場合でも、各撮像断面の傾きを変えることなく、各撮像断面のＰＥ方向を一括して揃えることができる。したがって、本実施形態によれば、複数の撮像断面が傾いて設定される場合でも、各撮像断面のＰＥ方向を効率よく揃えることができる。これにより、検査のスループットをさらに向上させることができる。
【００７５】
なお、上述した実施形態では、椎間板を対象部位とした場合を例に挙げて説明したが、撮像の対象部位はこれに限られない。例えば、上述した実施形態は、他の部位を撮像する場合でも同様に適用が可能である。
【００７６】
例えば、椎体を対象部位とする場合には、第１の設定部２６ｃは、被検体の背骨が描出された画像に基づいて、複数の椎体ごとに各椎体の位置及び向きを示す椎体情報を検出する。例えば、第１の設定部２６ｃは、上述した各実施形態で説明したように、被検体の背骨が描出された画像から位置情報を抽出する。そして、第１の設定部２６ｃは、ｉ（ｉ：自然数）番目とｉ＋１番目の椎間板の中点を、椎体の位置とする。さらに、検出部２６ａは、ｉ番目とｉ＋１番目の椎間板の向きの平均を、椎体の向きとする。なお、第１の設定部２６ｃは、背骨の両端に位置する椎体の位置及び向きについては、他の椎体の位置及び向きの変化量から求める。このような場合でも、第２の設定部２６ｄは、上述した実施形態と同様に、各撮像断面についてＰＥ方向を設定することが可能である。
【００７７】
また、例えば、椎間板及び椎体の両方を対象部位とする場合には、第１の設定部２６ｃは、複数の撮像断面を含むスラブを椎間板及び椎体の両方を含むように設定する。この場合には、１回のシーケンスで、椎間板及び椎体の両方を含んだ撮像が繰り返して行われる。また、例えば、第１の設定部２６ｃは、椎間板及び椎体それぞれにスラブを設定してもよい。この場合には、１回のシーケンスで、椎間板のみを含んだ撮像と椎体のみを含んだ撮像とがそれぞれ行われる。このような場合でも、第２の設定部２６ｄは、上述した実施形態と同様に、各撮像断面についてＰＥ方向を設定することが可能である。
【００７８】
また、例えば、下肢を撮像する場合などのように被検体の広い範囲が撮像される場合に、被検体が置かれた天板を移動しながら複数の異なる部位（例えば、腸骨部、大腿部、腓部など）が撮像される場合もある。このような撮像では、撮像範囲に含まれる複数の部位について、各部位の形状や向きに応じて、部位ごとに撮像断面が設定される。このような場合でも、第２の設定部２６ｄは、部位ごとに設定された撮像断面について、上述した実施形態と同様にＰＥ方向を設定することが可能である。
【００７９】
また、例えば、同じ対象部位を複数の撮像プロトコルで撮像する場合に、撮像プロトコルごとの撮像断面がまとめて設定される場合もある。このような場合でも、第２の設定部２６ｄは、撮像プロトコルごとに設定された撮像断面について、上述した実施形態と同様にＰＥ方向を設定することが可能である。
【００８０】
また、上述した各実施形態で説明した各種の機能は、組み合わせて実施することも可能である。例えば、第１の実施形態で説明したＭＲＩ装置１００が、第２の実施形態で説明したＰＥ方向を一括して設定する機能を兼ね備えていてもよい。その場合には、受付部２６ｂが、撮像断面を追加又は変更する指示だけでなく、ＰＥ方向を一括して設定する指示も受け付ける。そして、第２の設定部２６ｄが、第１の設定部２６ｃによって撮像断面が設定されたときに当該撮像断面のＰＥ方向を設定するだけでなく、受付部２６ｂによってＰＥ方向を一括して設定する指示が受け付けられたときにも、設定済みの撮像断面についてＰＥ方向を設定する。
【００８１】
以上説明した少なくともひとつの実施形態によれば、複数の撮像断面が傾いて設定される場合でも、各撮像断面の位相エンコード方向を揃えることができる。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１００  ＭＲＩ装置
２０  計算機システム
２６  制御部
２６ｃ  第１の設定部
２６ｄ  第２の設定部
【図１】
2015058220.tif 000003
【図６】
2015058220.tif 000004
【図７】
2015058220.tif 000005
【図８】
2015058220.tif 000006
【図９】
2015058220.tif 000007
【図１０】
2015058220.tif 000008
【図１１】
2015058220.tif 000009
【図１４】
2015058220.tif 000010
【図１５】
2015058220.tif 000011
【図２】
2015058220.tif 000012
【図３】
2015058220.tif 000013
【図４】
2015058220.tif 000014
【図５】
2015058220.tif 000015
【図１２】
2015058220.tif 000016
【図１３】
2015058220.tif 000017